(57)【要約】【課題】  本発明は、顧客が一度に種類の異なった複数の流動、又は、即席流動料理品目を低価格で喫食でき、環境汚染、食材資源の節約に対処可能な流動、又は即席流動料理品目収容容器を提供すると共に、食生活にバラエティを持たせる。【解決手段】  内壁面が、平行又は上広がりで、開口面が、円形又は多角形を有するどんぶり容器において、容器と同一材質からなる複数の板状隔壁が全て、容器内の中央部から内壁面に向って放射状に配置され、板状隔壁の下部壁面と容器の内壁面、板状隔壁の一方の側壁面と容器の内壁面及び容器内の中央部に配置された板状隔壁の他方の側壁面同士は、焼成による接合で一体化形成され、板状隔壁の上部側面は全て、容器の開口面の高さ以下で、同一高さに設定されている。容器は、複数の板状隔壁で仕切られ、板状隔壁の数と同数の独立した空間領域が形成され、１つの空間領域に、１つの流動料理品目が盛り付けされる流動料理品目収容容器。【選択図】  図１
2005082242.tif 000002
【特許請求の範囲】
【請求項１】
内壁面が、平行又は上広がりで、開口面が、円形又は多角形を有するどんぶり容器において、容器と同一材質からなる複数の板状隔壁が全て、容器内の中央部から内壁面に向って放射状に配置され、板状隔壁の下部壁面と容器の内壁面、板状隔壁の一方の側壁面と容器の内壁面及び容器内の中央部に配置された板状隔壁の他方の側壁面同士は、焼成による接合で一体化形成され、板状隔壁の上部側面は全て、容器の開口面の高さ以下で、同一高さに設定されている。
容器は、複数の板状隔壁で仕切られ、板状隔壁の数と同数の独立した空間領域が形成され、１つの空間領域に、１つの流動料理品目が盛り付けされる流動料理品目収容容器。
【請求項２】
請求項１のどんぶり容器において、内壁面が上広がりで、開口面が円形で、その開口面の表面積が８０００〜９００００ｍｍ２、底面から開口面に至る高さが５０〜１５０ｍｍ、板状隔壁の板厚が１〜１０ｍｍ、板状隔壁の下部壁面及び側壁面と容器の内壁面の接合角９０°、容器の開口面と板状隔壁の上部壁面は、同一平面を形成、容器の空間領域の数が２〜４ヶ、からなる流動料理品目収容容器。
【請求項３】
内壁面が上広がりで、開口面が、円形又は多角形の３ヶの同一形状を有するどんぶり容器において、各容器とも開口面の外壁の２ヶ所で接触する様に配置されている。
各容器の外壁接触部から外壁に沿って、他の外壁接触部に至る３ヶの線分が形成する平面、各容器の外壁接触部から開口面に垂直に外壁に沿って底面に至る線分と、底面接続部と隣接する容器の底面接続部を結ぶ線分が形成する３ヶの平面、各容器の底面接続部から底面外壁に沿って他の底面接続部に至る線分と底面接続部と隣接する容器の底面接続部を結ぶ線分が形成する平面から構成される空隙部に、容器と同一材質又は樹脂からなる接合媒体を充填し、焼成、乾燥等により、接合媒体と容器外壁接触部を接合により、３ヶの容器を一体化形成する。
一体化形成された容器は、３ヶの独立した空間領域を有し、１つの空間領域に、１つの流動料理品目が盛り付けされる流動料理品目収容容器。
【請求項４】
請求項３の容器において、容器と同一材質からなり、開口面が円形で、その半径が、接合媒体の充填部上面の中心から、容器の外壁接触部に至る長さ以下の皿が、接合媒体の充填部上面に付加され、容器の接合媒体の充填部上面の範囲内に皿の底面が、焼成、接着等により接合され、皿の空間領域に固形料理品目が盛り付けされる流動料理品目収容容器。
【請求項５】
内壁面が平行又は上広がりで、開口面が円形又は多角形を有し、開口面に蓋体が配置された発泡スチロール等の断熱性樹脂又は断熱性紙からなるカップ形状又はどんぶり形状容器において、容器と同一材質からなる複数の板状隔壁が、全て、容器内の中央部から内壁面に向って放射状に配置され、板状隔壁の下部壁面と容器の内壁面、板状隔壁の一方の側壁面と容器の内壁面及び容器内の中央部に配置された板状隔壁の他方の側壁面同士は、成型、接着等により一体化形成され、板状隔壁の上部壁面は、全て、容器の開口面の高さ以下で、同一高さに設定されている。
容器は、複数の板状隔壁で仕切られ、板状隔壁の数と同数の独立した空間領域を形成し、１つの空間領域に１つの即席流動料理品目の内容物が収納され、容器の蓋体を開き、所定量の熱湯を注入し、一定時間経過後、調理が完了する即席ラーメン等の即席流動料理品目収容容器。
【発明の詳細な説明】
【技術分野】
【０００１】本発明は、料理品目を収容する容器、特に、１つの容器に複数の流動料理品目を収容する容器に関する。
【背景技術】
【０００２】現代人の食事に対する欲求は、（１）グルメ志向、（２）美容・健康志向、（３）簡便化志向に要約され、グルメ、美容・健康を維持した上で、さらに簡便化を強く求める傾向にある。
又、食生活指針によると、生活習慣病対策として、一般に成人が身体的健康を維持するには、最低１日２０種類以上の食材、野菜３５０〜４００グラム（緑黄色野菜１２０グラム以上）、果物２００グラム以上の摂取が必要とされるが、数少ない料理品目から確保することは容易ではない。
しかし、多くの場合、食事店舗で調理される大多数の料理品目は、一品一様、一皿一価で固定されており、顧客が、味覚の堪能と栄養バランスを考慮して複数の料理品目の喫食を希望する時、価格、量、質、空腹度合を考えて注文するか、やめるかの２者択一の選択の自由度しか与えられない現状である。
料理品目は、（１）固形料理品目、（２）流動料理品目、（３）即席流動料理品目、（４）固形食品及び流動食品併合料理品目に略分類できる。（用語の説明参照）
料理品目を収容する容器は、固形料理品目の場合は、皿、樹脂、木、紙製折箱、流動料理品目の場合は、主にどんぶり、即席流動料理品目の場合は、断熱性樹脂どんぶり形状容器、紙カップ、固形食品及び流動食品併合料理品目の場合は、すの子及びわんが主に使用されている。
食事店舗内で使用される料理品目収容容器は、継続的使用を前提とし、機能性（食べやすさ）、美感（デザイン）、触感（手ざわり）、質感を重視するが、即席流動料理品目収容容器は、使用後廃棄を前提とするため、手軽さ、低コスト、保温性を重視し、両者は、要求される特性が全く異なる。【０００３】固形料理品目は、構成する各食材にほとんど流動性はないが、移動中に食材同士が接触すると、味覚の混入、劣化の促進、異臭の発生、腐敗の発生の原因となる恐れがあるため、固形料理品目収容容器は、食材同士の接触を防止するため、容器内に隔壁（個別に仕切り板）又は／及び、凹凸を設定して各々独立空間領域の形成等の手段を講じている。
複数の種類の固形料理品目を１つの容器に収容した典型例として、幕の内弁当があるが、これは、紙製折箱、樹脂製折箱、陶製皿に隔壁又は／及び凹凸を設定して独立空間領域を形成し、構成する食材同士の接触を防止し、味覚の低下を図っている。【０００４】食事店舗で顧客に提供されるラーメン等の流動料理品目は、開口面が円形のどんぶり容器に、一料理品目が一容器に収容され、流動料理品目の種類毎に、大盛り（１．５人分）、普通盛り（１人分）、小盛り（０．５人分）、と略３つの量に区分され、量に対してどんぶり容器の大きさも、大、中、小と３種類に区分けされている場合が多い。
顧客が一度に複数の種類の流動料理品目を賞味したいとき、顧客の嗜好に応じて、複数の種類の流動料理品目を選択し、空腹度合いに応じて、各料理品目の量を選択し、注文することになる。
例えば、顧客が塩ラーメン、味噌ラーメン、醤油ラーメンの３種類の流動料理品目を賞味する場合、嗜好、空腹度から全て小盛りを注文すると、合計１．５人分、顧客の前に３ヶのどんぶり容器で提供されることになる。
そのため、顧客は食べづらいし、又、３ヶのどんぶり容器の洗浄に手間がかかる。【０００５】市販の即席流動料理品目、例えば、カップラーメンは、乾燥麺、具、調味料、香辛料等の内容物を、発泡スチロール等の断熱性樹脂容器に収納し、喫食時、容器の蓋体を一部開封し、容器内に所定量の熱湯を注入し、再び、蓋体を閉じ、３〜４分経過後蓋体を開けて喫食する様に製造されている。
又、他の即席流動料理品目の場合も、容器に収納されている内容物の種類は異なるが、容器の材質、形状、構造、及び喫食に至るまでのプロセスは、ほぼ同様である。
即席流動料理品目は、発泡スチロール等の断熱性樹脂容器に、一料理品目が一容器に収納され、料理品目の種類毎に大盛り（１．５人分）、普通盛り（１人分）、小盛り（０．５人分）と大体３つの量に区分され、量に対応して容器の大きさも、大、中、小と３種類に区分けされている場合が多い。
顧客が複数の種類の即席流動品目を賞味したい時、顧客の嗜好に応じて料理品目の種類を選び、空腹度合いに応じて量に対応する容器の大きさを選択する。
例えば、顧客が塩ラーメン、味噌ラーメン、醤油ラーメンの３種類の即席流動料理品目を賞味する場合、全て小盛りを喫食すると、合計１．５人前、容器の数は３ヶ必要となる。そのため、無用に樹脂資源を浪費し、不燃性のゴミが多く排出され、食べ切れない場合などは、食材のムダにつながることになる。【０００６】本発明と類似する技術に関し、過去１０年間の特許公報及び公開特許公報についての調査結果について記載する。
（１）特開平９−７７０６４
特開平９−７７０６４による食品用容器は、外壁層と内壁層との二重壁構造を有する容器であって、該容器は、該外壁層と該内壁との間に両壁層によって囲まれた密閉空間部が形成されていて、そして、該密閉空間部に液体を注入及び該密閉空間部に収納された液体を排出することができる、少なくとも一カ所の開口部と該開口部のために閉蓋具とが設けられた二重壁構造を有するもので、複数の独立した空間領域を有し、複数の食品を収容する点に関しては、本発明と類似であるが、両者の構造は全く異なる。
（２）特開２００１−３４８０７４
特開２００１−３４８０７４による麺類容器（流動料理品目収容容器）は、麺つゆが入れられる容器本体と、この容器本体の上部に配された開口を有する中皿と、この中皿の上に取り外し可能に載置されて、前記開口を閉じる麺類が載せられる仕切り板と、この仕切り板の上の空間を閉じる蓋とからなり、麺類が調理されてからすぐに食されない場合に麺類が麺つゆの中で延びてしまうことを防止することを目的とする。
特開２００１−３４８０７４は、流動料理品目収容容器で複数の独立した空間領域を有する点に関しては本発明と類似であるが、使用目的及び容器の構造は全く異なる。【０００７】上記内容を要約すると、種類の異なった複数の固形料理品目を収容する容器は市場に存在するが、流動料理品目及び即席流動料理品目を収容する容器は存在しない。
又、本発明と類似する技術に関し、過去１０年間の特許公報及び公開特許公報を調査した結果、本発明を制約する技術の存在を確認することができなかった。
〔特許文献１〕特開平９−７７０６４
〔特許文献２〕特開２００１−３４８０７４
【発明の開示】
【発明が解決しようとする課題】
【０００８】顧客が、嗜好・美容・健康を考えて、一度に種類の異なった複数の流動又は即席流動料理品目の喫食を希望する場合、上記流動又は即席流動料理品目収容容器は、下記に示す課題を有している。
１．  食事店舖又は市販で顧客に提供される流動又は即席流動料理品目は、一品一皿に固定されており、一度に種類の異なった複数の流動又は即席流動料理品目を喫食すると、コストアップ、食べ残しによるゴミの発生（環境汚染）、食材資源の浪費を発生させる。
２．  流動又は即席流動料理品目は、料理品目の種類毎に別々の容器に収容されるため、一度に種類の異なった複数の料理品目を喫食する場合、容器の数ばかり増え喫食しずらい。
これらの点を鑑みて、本発明の目的は、顧客が一度に種類の異なった複数の流動又は即席流動料理品目を低価格で喫食でき、環境汚染、食材資源の節約に対処可能な流動又は即席流動料理品目収容容器を提供すると共に、食生活にバラエティを持たせる。
【課題を解決するための手段】
【０００９】上記課題の解決及び本発明の目的を達成するため下記構成とした。
すなわち、請求項１記載の流動料理品目収容容器は
内壁面が、平行又は上広がりで、開口面が、円形又は多角形を有するどんぶり容器において、容器と同一材質からなる複数の板状隔壁が全て、容器内の中央部から内壁面に向って放射状に配置され、板状隔壁の下部壁面と容器の内壁面、板状隔壁の一方の側壁面と容器の内壁面及び容器内の中央部に配置された板状隔壁の他方の側壁面同士は、焼成による接合で一体化形成され、板状隔壁の上部側面は全て、容器の開口面の高さ以下で、同一高さに設定されている。
容器は、複数の板状隔壁で仕切られ、板状隔壁の数と同数の独立した空間領域が形成され、１つの空間領域に、１つの流動料理品目が盛り付けされることを特徴とする。
本容器は、食事店舗において種類の異なった複数の流動料理品目を収容する一つのどんぶり容器として使用され、顧客が、メニューから嗜好、栄養バランス、空腹度合いなどを考えて、任意に流動料理品目の種類の選定と量の選択を行い注文すると、料理品目は、容器の独立した空間領域に各一つずつ盛り付けられ、顧客に提供される。
容器内に配置された板状隔壁の数は、容器内の板状隔壁の中央部を起点にとり、板状隔壁の数だけ独立した空間領域が形成され、又空間領域の数だけ異なった種類の料理品目を収容することが可能となる。
容器の空間領域の大きさ（容量）は、板状隔壁の設定位置を変えることにより任意の大きさに対応でき、食事店舗は、あらかじめ数種類の容量比率の異なった容器を保有しておき、顧客の量の選択に応じて容器を選ぶことになる。
容器内に配置された板状隔壁の上部側面が、全て容器の開口面の高さ以下で同一高さに設定される理由は、料理品目盛り付け時、各空間領域へのスープの混入を防止するためである。【００１０】又、請求項２記載の流動料理品目収容容器は、
請求項１のどんぶり容器において、内壁面が上広がりで、開口面が円形で、その開口面の表面積が８０００〜９００００ｍｍ２、底面から開口面に至る高さが５０〜１５０ｍｍ、板状隔壁の板厚が１〜１０ｍｍ、板状隔壁の下部壁面及び側壁面と容器の内壁面の接合角９０°、容器の開口面と板状隔壁の上部壁面は、同一平面を形成、容器の空間領域の数が２〜４ヶ、からなることを特徴とする。
請求項２記載の流動料理品目収容容器は、請求項１記載の容器を食事店舗において、実際に使用する場合容器に必要な種々の項目の適性値の範囲を具体的に示したものである。
流動料理品目収容容器に要求される特性は、機能性及び外観特性に区分され、機能性としては、操作性（食べやすさ、スープの飲みやすさ）、移動性（運びやすさ）、洗浄性（洗い易さ）、安定性（倒れにくさ）があり、又外観特性としては、デザインの良さ、質感、蝕感がある。
請求項２記載の流動料理品目収容容器は、請求項１記載の容器が実際に食事店舗で使用される場合を考慮して、材質、形状、構造及び空間領域の個数を指定し、実使用における適性条件を提示したものである。【００１１】請求項３記載の流動料理品目収容容器は、
内壁面が上広がりで、開口面が、円形又は多角形の３ヶの同一形状を有するどんぶり容器において、各容器とも開口面の外壁の２ヶ所で接触する様に配置されている。
各容器の外壁接触部から外壁に沿って、他の外壁接触部に至る３ヶの線分が形成する平面、各容器の外壁接触部から開口面に垂直に外壁に沿って底面に至る線分と、底面接続部と隣接する容器の底面接続部を結ぶ線分が形成する３ヶの平面、各容器の底面接続部から底面外壁に沿って他の底面接続部に至る線分と底面接続部と隣接する容器の底面接続部を結ぶ線分が形成する平面から構成される空隙部に、容器と同一材質又は樹脂からなる接合媒体を充填し、焼成、乾燥等により、接合媒体と容器外壁接触部を接合により、３ヶの容器を一体化形成する。
一体化形成された容器は、３ヶの独立した空間領域を有し、１つの空間領域に、１つの流動料理品目が盛り付けされることを特徴とする。
本容器は、３ヶの同一形状どんぶり容器を、開口面の外壁を接合することにより一体化形成し、１つの容器にまとめたものである。
請求項１記載の流動料理品目収容容器は、１つのどんぶり容器内に複数の板状隔壁を設定することにより複数の独立した空間領域を形成したが、請求項３記載の内容は、３ヶのどんぶり容器の開口面の外壁を接合により３ヶの空間領域を有する１つの容器として機能させている。
又、この容器の接合媒体の底部を空洞化することにより軽量化が可能となる。【００１２】請求項４記載の流動料理品目収容容器は、
請求項３の容器において、容器と同一材質からなり、開口面が円形で、その半径が、接合媒体の充填部上面の中心から、容器の外壁接触部に至る長さ以下の皿が、接合媒体の充填部上面に付加され、容器の接合媒体の充填部上面の範囲内に皿の底面が、焼成、接着等により接合され、皿の空間領域に固形料理品目が盛り付けされることを特徴とする。
本容器は、請求項３記載の流動料理品目収容容器の接合媒体充填部上面に、固定料理品目又は付加物（トッピング）を収容する皿が配置されたものである。
顧客が、流動料理品目の他に固定料理品目（例：ライス）等を喫食する場合、該固定料理品目を配置された皿に盛り付けすることにより、１つの容器に全ての料理品目を盛り付けすることができる。【００１３】請求項５記載の即席ラーメン等の即席流動料理品目収容容器は、
内壁面が平行又は上広がりで、開口面が円形又は多角形を有し、開口面に蓋体が配置された発泡スチロール等の断熱性樹脂又は断熱性紙からなるカップ形状又はどんぶり形状容器において、容器と同一材質からなる複数の板状隔壁が、全て、容器内の中央部から内壁面に向って放射状に配置され、板状隔壁の下部壁面と容器の内壁面、板状隔壁の一方の側壁面と容器の内壁面及び容器内の中央部に配置された板状隔壁の他方の側壁面同士は、成型、接着等により一体化形成され、板状隔壁の上部壁面は、全て、容器の開口面の高さ以下で、同一高さに設定されている。
容器は、複数の板状隔壁で仕切られ、板状隔壁の数と同数の独立した空間領域を形成し、１つの空間領域に１つの即席流動料理品目の内容物が収納され、容器の蓋体を開き、所定量の熱湯を注入し、一定時間経過後、調理が完了することを特徴とする。
本容器は、コンビに又はスーパーマーケット等において、種類の異なった複数の即席流動料理品目の内容物を収納する。
発泡スチロール等の断熱性樹脂又は断熱性紙からなるカップ形状又はどんぶり形状容器として使用され、顧客は、あらかじめ即席流動料理品目の内容物の種類及び量が決められた容器の中から、嗜好、空腹度合を考えて選択する。
容器内に配置された板状隔壁の数は、容器内の板状隔壁の中央部を起点にとり、板状隔壁の数だけ独立した空間領域が形成され、又空間領域の数だけ異なった種類の料理品目の内容物を収納することが可能である。【００１４】本発明の流動料理品目収容容器及び即席流動料理品目収容容器は、１つの容器に複数の独立した空間領域を形成させ、各空間領域に種類の異なった流動料理品目又は即席流動料理品目の内容物を収容するため、１つの容器で複数の種類の料理品目を低価格で喫食でき、食べ残しによる環境汚染、食材資源の浪費を防止できると共に、食生活にバラエティを持たせることが可能となる。
それ故、上記手段により課題の解決及び本発明の目的が達成できることになる。
【発明の効果】
【００１５】本発明の実施により、下記の効果が期待される。
１．  顧客は、嗜好、栄養バランス、空腹度合に合わせて、一度に種類の異なった複数の流動料理品目の選定と量の選択ができ、１つの容器で複数の種類の流動料理品目の味覚の享受と空腹の解消が、同時にしかも低価格でできる。
２．  顧客は、種類の異なった複数の好みの流動料理品目の選定と量の選択が可能なため、食べ残しによるゴミの減少が図れ、環境汚染の低減と食材資源の節約に寄与できる。
３．  顧客は、食事店舗において一度に種類の異なった複数の流動料理品目の喫食が可能なため、多くの食材を摂取でき、栄養のバランスを確保できる。
４．  即席流動料理品目収容容器は、異種カテゴリーに属する複数の種類の即席流動料理品目（例：塩ラーメンとタヌキソバ）が、収納でき、食の多様化に対応可能である。【００１６】上記内容を要約すると、顧客は、１つの容器で経済的に種類の異なった複数の流動又は即席流動料理品目を賞味でき、環境汚染の低減と、資源の節約に寄与できると共に、栄養バランスの向上、食の多様化に対応可能となる。
【発明を実施するための最良の形態】
【００１７】発明の実施の最良の形態を図面に基づいて説明する。
図１は、請求項１の実施の形態を示す斜視図である。
図１に示すように、請求項１の流動料理品目収容容器は、どんぶり容器１本体と容器１内に配置された板状隔壁４から構成される。
この容器１は、内壁面２が上広がりで、開口面３が円形のどんぶり容器１で、容器１と同一材質（陶製）からなる３ヶの板状隔壁４が全て、容器１内の中央部５から内壁面２に向って放射状に配置されている。
板状隔壁４の下部壁面６と容器１の内壁面２、板状隔壁４の一方の側壁面７と容器１の内壁面２及び容器内１の中央部５に配置された板状隔壁４の他方の側壁面８同士は、焼成により一体化接合形成されている。
又この容器１は、板状隔壁４の上部壁面９が全て容器１の開口面３までの高さと同一高さに設定されている。
容器１は、３ヶの板状隔壁４で仕切られ、板状隔壁４の数３ヶと同数の独立した空間領域１０が形成され、１つの空間領域１０に種類の異なった１つの流動料理品目が盛り付けされる様なっている。【００１８】なお上記容器１は、食事店舗において３種類のラーメン等の流動料理品目を収容する容器として使用される。
図１に示す容器１は、容器１内に配置された３ヶの板状隔壁４により空間領域１０は均等に３分割されているが、通常どんぶり容器の空間領域の個数と容量比は、開口面の面積、板状隔壁の数、板状隔壁の位置により決定され、食事店舖は、空間領域の個数と容量比の異なった組み合わせの容器を保有する必要がある。【００１９】図２は、請求項２の実施の形態を示す斜視図である。
この流動料理品目収容容器が、食事店舗において実際に使用される場合を考慮して、容器１に要求される特性の適性範囲を具体的に示す。すなわち請求項２記載の容器は、請求項１の容器１を具体化したもので、内壁面２が上広がりで、開口面３が円形、その開口面３の表面積が８０００〜９００００ｍｍ２、底面１１から開口面３に至る高さが、５０〜１５０ｍｍ、板状隔壁４の板厚が１〜１０ｍｍ、個数が３ヶ、板状隔壁４の下部壁面６及び側壁面７と容器１の接合内壁面２の角が９０°、容器１の開口面２の上部壁面９は、同一平面を形成、容器１の空間領域１０の数は３ヶ、その空間領域１０にはラーメン１２、タンメン１３、チャーシューメン１４が盛り付けされている。【００２０】流動料理品目収容容器に要求される特性は、機能性及び外観特性に区分けされ、機能性としては操作性（食べやすさ、スープの飲みやすさ）、移動性（運びやすさ）、洗浄性（洗いやすさ）、安定性（倒れにくさ）があり、又外観特性としては、デザインの良さ、質感、触感が考えられる。特に、請求項２記載の容器は、顧客が異なった種類の複数の流動料理品目を喫食する際、食べやすさ、運びやすさ、倒れにくさを考慮して各特性に関し具体的数値の範囲を提示した。【００２１】図３及び図４は、請求項３の実施の形態を示す斜視図である。
図３及び図４に示すように、請求項３の流動料理品目収容容器は、内壁面１６が上広がりで開口面１７が円形の３ヶの同一形状を有するどんぶり容器１５で、各容器１５とも開口面１７の外壁４８の２ヶ所で接触する様に配置されている。
各容器１５の外壁接触部１９から外壁１８に沿って、他の外壁接触部１９に至る３ヶの線分が形成する平面、各容器１５の外壁接触部１９から開口面１７に垂直に外壁１８に沿って底面２０に至る線分と、底面接触部２１と隣接する容器１５の底面接触部２１を結ぶ線分が形成する３ヶの平面、各容器１５の底面接触部２１から底面２０外壁１８に沿って他の底面接触部２１に至る線分と、底面接触部２１と隣接する容器１５の底面接触部２１を結ぶ線分が形成する平面から構成される空隙部２２に接合媒体２３を充填し、焼成により接合媒体２３と容器１５外壁接触部１９を接合により３ヶの容器１５を一体化形成する。一体化形成された容器は、３ヶの独立した空間領域２４を有し、１つの空間領域２４に１つの流動料理品目が盛り付けされる様になっている。【００２２】図５は、請求項４の実施の形態を示す斜視図である。
請求項４記載の流動料理品目収容容器は、請求項３の一体化形成容器の各容器１５と同一材質からなり、開口面２６が円形で、その半径が接合媒体２３の充填部上面２７の中心から、容器１５の外壁接触部１９に至る長さ以下の皿２５が接合媒体２３の充填部上面２７に付加され、容器１５の接合媒体２３の充填部上面２７の範囲内に皿２５の底面２８が、焼成により接合され、皿２５の空間領域２９に固形料理品目が盛り付けされる。
顧客は、３種類の流動料理品目と１つの固形料理品目を同時に喫食することが可能である。【００２３】図６は、請求項５の実施の形態を示す斜視図である。
図６に示すように、請求項５の即席流動料理品目収容容器は、カップ形収容器３０本体と、容器３０内に配置された板状隔壁３４から構成される。
この容器３０は、内壁面３１が上広がりで開口面３２が円形を有し、開口面３２に蓋体３３が配置された発泡スチロール製カップ形状容器で、容器３０と同一材質からなる３ヶの板状隔壁３４が全て、容器３０内の中央部３５から内壁面３１に向って放射状に配置され、板状隔壁３４の下部壁面３６と容器３０の内壁面３１、板状隔壁３４の一方の側壁面３７と容器３０の内壁面３１及び容器３０内の中央部３５に配置された板状隔壁３４の他方の側壁面３８同士は成形により一体化形成され、板状隔壁３４の上部壁面３９は、全て容器３０の開口面３２と同一高さに設定されている。
容器３０は、３ヶの板状隔壁３４で仕切られ、３ヶの独立した空間領域４０を有し、即席流動料理品目の内容物Ａ４１、内容物Ｂ４２、内容物Ｃ４３が収納され、容器３０の蓋体３３を開き、所定量の熱湯を注入し、一定時間経過後調理が完了する様になっている。【００２４】特許請求の範囲、又は明細書に記載されている用語について説明する。
１．  料理品目………食事店舗に配置されているメニューに記載されている具体的な料理又は即席食品の名称（例：ラーメン、鍋焼きうどん、カップ麺）。料理品目は（１）固形料理品目（２）流動料理品目（３）即席流動料理品目（４）固形食品及び流動食品併合料理品目に略分類できる。
２．  固形料理品目…一定の形状を有し、容器に盛り付けた場合、構成体がほとんど変形しない料理品目（例：ピザ、天丼、トンカツ、ライス）
３．  流動料理品目…液体（スープ、汁、又は湯）の中に麺類、具、等が配置された料理品目（例：ラーメン、ワンタン、おかゆ）又はスープ
４．  即席流動料理品目…発泡スチロール樹脂等の断熱性容器内にあらかじめ液体及び／又は固形のスープの素、麺類、具、香辛料等の内容物が収納されていて、蓋体を開け熱湯を注入、数分間経過すると調理が完了する料理品目（例：即席ラーメン、即席粥）
５．  固形食品及び流動…固形の食品と液体のスープ、汁が各々独立した容器に配置され食品併合料理品目  喫食する場合、固形の食品を液体のスープ、汁に浸漬して食する料理品目（例：ざるそば、天ぷら）
６．  メニュー………食事店舗において、料理の種類、分類に従って料理品目名が掲載されている一覧表
７．  食事店舗………料理品目の加工調理及び販売機能を有する店舗
８．  容器    ………料理品目を収容する器（例：どんぶり、皿）
９．  どんぶり………食物を盛る深くて厚みのある陶製容器
１０．  どんぶり形状…材質に関係なく、食物を盛る深くて厚みのある容器
１１．  皿    ………食物を盛り付けする平たく浅い器
１２．  顧客  ………料理品目の注文、又は検討しているユーザーの呼称
１３．  カテゴリー…料理品目の種類、分類（例：中華、和食、寿司）
１４．  食材  ………料理品目を構成する素材（材料）（例：大根、肉、タマゴ）又は／及び数種類の素材から構成されたパーツ（例：サラダ、コロッケ）
１５．  調味料………料理品目の味覚をよくするための添加物（例：味噌、しょう油）
１６．  香辛料………料理品目に香気、辛みなどを加える添加物
（例：コショウ、ラー油）
１７．  内容物………料理品目を構成する食材全体の呼称
（例：即席ラーメンの場合、麺、スープ、香辛料、具等）
１８．  食事  ………生存に必要な栄養を摂取するため毎日習慣的に食物を食べること、又は／及び容器に盛り付けされた食品
１９．  食物  ………食べるもの、食用にするものの総称
２０．  食品  ………食べ物となる品物、食事としてとるもの
２１．  具    ………細かくきざんで料理品目に入れる素材
【図面の簡単な説明】
【００２５】
【図１】請求項１の実施の形態を示す斜視図である
【図２】請求項２の実施の形態を示す斜視図である
【図３】請求項３の実施の形態を示す斜視図である
【図４】請求項３の実施の形態を示す斜視図である
【図５】請求項４の実施の形態を示す斜視図である
【図６】請求項５の実施の形態を示す斜視図である
【符号の説明】
【００２６】１．  どんぶり容器
２．  内壁面
３．  開口面（円形）
４．  板状隔壁
５．  中央部
６．  下部壁面
７．  側壁面
８．  側壁面
９・  上部壁面
１０．空間領域
１１．底面
１２．ラーメン
１３．タンメン
１４．チャーシューメン
１５．どんぶり容器（３ヶの同一形状容器）
１６．内壁面
１７．開口面（円形）
１８．外壁
１９．外壁接触部
２０．底面
２１．底面接触部
２２．空隙部
２３．接合媒体
２４．空間領域
２５．皿
２６．開口面（円形）
２７．充填部上面
２８．皿の底面
２９．空間領域
３０．カップ形状容器
３１．内壁面
３２．開口面（円形）
３３．蓋体
３４．板状隔壁
３５．中央部
３６．下部壁面
３７．側壁面
３８．側壁面
３９．上部壁面
４０．空間領域
４１．内容物Ａ
４２．内容物Ｂ
４３．内容物Ｃ
【図１】
2005082242.tif 000003
【図２】
2005082242.tif 000004
【図３】
2005082242.tif 000005
【図４】
2005082242.tif 000006
【図５】
2005082242.tif 000007
【図６】
2005082242.tif 000008